(57)【要約】      （修正有）【課題】ユーザの情報管理の操作性を向上させることのできるパイプライン管理データ処理装置を提供する。【解決手段】コンピュータ１５のアプリケーション開発・更新部１６、ＤＢ（データベース）開発・更新部１７と、センタデータベース（ＤＢ）１８とによって構成される地図データ管理手段によって管理される地図データ上に、コンピュータ１５のアプリケーション開発・更新部１６、ＤＢ（データベース）開発・更新部１７と、センタデータベース（ＤＢ）１８とによって構成されるパイプラインの敷設データ管理手段によって管理されるパイプラインの敷設データを重畳して表示すると共に、コンピュータ１５のアプリケーション開発・更新部１６、ＤＢ開発・更新部１７と、センタデータベース（ＤＢ）１８とによって構成されるパイプラインの防腐食データ管理手段によって管理されるパイプラインの防腐食データをパイプライン上に重畳して表示する。【選択図】    図１
2005308841.tif 000002
【特許請求の範囲】
【請求項１】
種々のデータを記憶する記憶装置と、各種データや指示内容を入力する入力手段と、前記記憶装置の内容と前記入力手段から入力するデータや指示内容に基づいて演算処理を行う制御装置と、前記制御装置で演算処理した結果を表示するディスプレイとを備えたコンピュータにおいて、
表示地域を特定してディスプレイ上に当該特定した地図を表示する地図データを記録管理する地図データ管理手段と、
パイプラインの敷設位置を位置情報として記録管理するパイプラインの敷設データ管理手段と、
前記敷設されたパイプラインの属性データを記録管理するパイプラインの属性データ管理手段と、
前記パイプラインの管の位置に対応して検出した該パイプラインの各検出位置における防食データと腐食データを記録管理するパイプラインの防腐食データ管理手段と、
を備え、
前記地図データ管理手段によって管理される地図データ上に、前記パイプラインの敷設データ管理手段によって管理されるパイプラインの敷設データを重畳して表示すると共に、前記パイプラインの防腐食データ管理手段によって管理されるパイプラインの防腐食データを前記パイプライン上に重畳して表示するようにしたことを特徴とするパイプライン管理データ処理装置。
【請求項２】
前記周囲環境データは、地形情報、土壌情報、土質情報、地滑り情報のいずれか１又は２以上のデータである請求項１に記載のパイプライン管理データ処理装置。
【請求項３】
前記周囲環境データには、局地的な気象の特徴を示す気象情報を含んだものである請求項２に記載のパイプライン管理データ処理装置。
【請求項４】
前記パイプラインの任意の箇所に複数のセンサを設け、該センサによってデータを記録管理するパイプラインのセンサデータ管理手段を設けたことを特徴とする請求項１、２又は３に記載のパイプライン管理データ処理装置。
【請求項５】
前記パイプラインの任意の箇所に設ける複数のセンサは、前記パイプライン内を走行する液体の流速を検出する流速度センサと、前記パイプライン内を走行する液体の色を検出する色彩センサと、前記パイプライン内を走行する液体の温度を検出する温度センサと、前記液体が走行するパイプライン内の圧力を検出する圧力センサと、パイプラインの腐食を監視する超音波又は磁気センサのいずれか１又は複数のセンサによって構成したものである請求項４に記載のパイプライン管理データ処理装置。
【請求項６】
前記パイプラインの属性データは、前記パイプラインを構成する単位パイプの長さ、前記単位パイプの接続方法、前記パイプラインを構成するパイプの材質、前記パイプラインを構成するパイプの厚さ、前記パイプラインのパイプ製造時期、前記パイプラインの敷設時期の１又は複数のデータの現在又は過去のものである請求項１、２、３、４又は５に記載のパイプライン管理データ処理装置。
【請求項７】
前記パイプラインの敷設データは、パイプを模式化して地図上に表示するものである請求項１、２、３、４、５又は６に記載のパイプライン管理データ処理装置。
【請求項８】
複数の液体を切り替えて連続して輸送する際に、走行している液体から他の種類の液体に切り替えて、連続して送出したときに異なる液体間に生じるインターフェイスを前記パイプライン上に表示することを特徴とする請求項１、２、３、４、５、６又は７に記載のパイプライン管理データ処理装置。
【請求項９】
前記インターフェイスの前記パイプライン上での表示は、前記インターフェイスの走行に追従しておこなうものである請求項８に記載のパイプライン管理データ処理装置。
【請求項１０】
前記インターフェイスの位置の検出は、前記異なる種類の液体に切り替えたタイミングと、前記流速度センサからの出力データとによって、前記制御装置で演算処理を行うものである請求項８又は９に記載のパイプライン管理データ処理装置。
【請求項１１】
前記インターフェイスの位置の検出は、前記色彩センサによって色が変化したことの検出タイミングと、前記流速度センサからの出力データとによって、前記制御装置で演算処理を行うものである請求項８又は９に記載のパイプライン管理データ処理装置。
【請求項１２】
前記地図データは、航空写真または衛星写真に基づく実写画像データ、もしくは、デジタル地図データである請求項１、２、３、４、５、６、７、８、９、１０又は１１に記載のパイプライン管理データ処理装置。
【請求項１３】
前記実写画像データは、三次元でディスプレイ上に表示できる三次元データである請求項１２に記載のパイプライン管理データ処理装置。
【請求項１４】
前記地図データと、前記実写画像データと、前記パイプラインの敷設データと、前記パイプラインの属性データと、前記周囲環境データと、前記防腐食データは、定期的にデータ内容を更新するものである請求項１、２、３、４、５、６、７、８、９、１０、１１、１２又は１３に記載のパイプライン管理データ処理装置。
【請求項１５】
前記ディスプレイには、地図データ管理手段によって管理される地図データに基づいて表示される地図に、前記パイプラインの敷設データ管理手段によって管理されるパイプラインを重畳して表示すると共に、前記パイプラインの防腐食データ管理手段によって管理されるパイプラインの腐食状態を前記地図上に表示されるパイプライン上に重ね合わせて表示するようにしたことを特徴とする請求項１、２、３、４、５、６、７、８、９、１０、１１、１２、１３又は１４に記載のパイプライン管理データ処理装置。
【請求項１６】
種々のデータを記憶する記憶装置と、各種データや指示内容を入力する入力手段と、前記記憶装置の内容と前記入力手段から入力するデータや指示内容に基づいて演算処理を行う制御装置と、前記制御装置で演算処理した結果を表示するディスプレイとを備えたコンピュータを用いてパイプライン管理データを処理する方法において、
予め記憶されている地図データに基づき表示地域を特定して地図をディスプレイ上に表示し、
予め記憶されているパイプラインの敷設データに基づいて該パイプラインの敷設位置を前記ディスプレイ上に表示されている地図上に重畳して表示し、
予め記憶されている前記パイプラインの防食データと腐食データに基づいて、前記パイプラインの各腐食状態検出位置におけるパイプラインの腐食進行程度に応じて腐食度を前記ディスプレイ上に表示されている地図上に重畳して表示し、
予め記憶されている前記敷設されたパイプラインの周囲環境データに基づいて予め設定されている前記パイプラインに与える環境現象毎の影響度に応じて前記パイプラインの周囲の環境情報を地図データと関連させて色分け表示することにより、パイプラインを構成する各パイプの周囲環境状況に基づいて受ける外的影響をリアルタイムで確認できるようにしたことを特徴とするパイプライン管理データ処理方法。
【請求項１７】
前記周囲環境データは、地形情報、土壌情報、土質情報、地滑り情報、局地的な気象情報のいずれか１又は２以上のデータである請求項１６に記載のパイプライン管理データ処理方法。
【請求項１８】
前記ディスプレイ上に表示する地図は、航空写真もしくは衛星写真に基づく実写画像、または、デジタル地図を三次元で表示したものである請求項１６又は１７に記載のパイプライン管理データ処理方法。
【請求項１９】
種々のデータを記憶する記憶装置と、各種データや指示内容を入力する入力手段と、前記記憶装置の内容と前記入力手段から入力するデータや指示内容に基づいて演算処理を行う制御装置と、前記制御装置で演算処理した結果を表示するディスプレイとを備えたコンピュータを用いて、
予め記憶されている地図データに基づき表示地域を特定して地図をディスプレイ上に表示し、
予め記憶されているパイプラインの敷設データに基づいて該パイプラインの敷設位置を前記ディスプレイ上に表示されている地図上に重畳して表示し、
予め記憶されている前記パイプラインの防食データと腐食データに基づいて、前記パイプラインの各腐食状態検出位置におけるパイプラインの腐食進行程度に応じて腐食度を前記ディスプレイ上に表示されている地図上に重畳して表示し、
予め記憶されている前記敷設されたパイプラインの周囲環境データに基づいて予め設定されている前記パイプラインに与える環境現象毎の影響度に応じて前記パイプラインの周囲の環境情報を地図データと関連させて色分け表示することにより、パイプラインを構成する各パイプの周囲環境状況に基づいて受ける外的影響をリアルタイムで確認できるようにパイプライン管理データを処理する方法で構成したことを特徴とするパイプライン管理データプログラム。
【請求項２０】
種々のデータを記憶する記憶装置と、各種データや指示内容を入力する入力手段と、前記記憶装置の内容と前記入力手段から入力するデータや指示内容に基づいて演算処理を行う制御装置と、前記制御装置で演算処理した結果を表示するディスプレイとを備えたコンピュータからなる管理サーバを備え、
パイプラインの管理を行う特定領域を表示する地図データを管理サーバで受信し、
前記パイプラインの敷設位置を位置情報として管理サーバで受信し、
前記敷設されたパイプラインの属性データを管理サーバで受信し、
前記パイプラインの管の位置に対応して、該パイプラインの周囲の環境情報を管理サーバで受信し、
前記パイプラインの管の位置に対応して検出した該パイプラインの各検出位置における防食データと腐食データを管理サーバで受信し、
前記地図データに前記パイプラインの敷設位置に合わせて作図したパイプラインを重畳し、前記パイプラインの周囲の環境情報を前記地図データと関連させて該地図データに重畳し、地図にパイプラインを重畳し、該パイプラインの周囲の環境情報を重ね合わせて三次元でディスプレイに表示可能なデータとして特定の会員に配信し、
前記会員の要求に応じて前記パイプラインの管の位置に対応して検出した該パイプラインの各検出位置における防食データと腐食データを前記パイプライン上に表示するデータとして会員に配信し、
前記地図上に、前記パイプラインを重畳して表示すると共に、前記パイプラインの腐食データを前記パイプライン上に重畳して表示するデータを会員に配信するようにしたことを特徴とするパイプライン管理データ処理システム。
【請求項２１】
種々のデータを記憶する記憶装置と、各種データや指示内容を入力する入力手段と、前記記憶装置の内容と前記入力手段から入力するデータや指示内容に基づいて演算処理を行う制御装置と、前記制御装置で演算処理した結果を表示するディスプレイとを備えたコンピュータにおいて、
表示地域を特定してディスプレイ上に当該特定した地図を表示する地図データを記録管理する地図データ管理手段と、
石油・ガス輸送用のパイプラインの敷設位置を位置情報として記録管理するパイプラインの敷設データ管理手段と、
前記敷設されたパイプラインの属性データを記録管理するパイプラインの属性データ管理手段と、
を備え、
前記地図データ管理手段によって管理される地図データ上に、前記パイプラインの敷設データ管理手段によって管理されるパイプラインの敷設データを重畳して表示すると共に、前記パイプラインの防腐食データ管理手段によって管理されるパイプラインの防腐食データを前記パイプライン上に重畳して表示するようにしたことを特徴とするパイプライン管理データ処理装置。
【請求項２２】
地図情報、パイプラインの敷設位置を示す敷設位置情報、及び、パイプラインの位置に関係付けられた防食或いは腐食情報を、少なくとも一時的に記憶する記憶手段と、前記記憶手段の記憶内容を読み出して、前記地図情報と前記敷設情報に基づいてパイプラインを示す図形情報を地図上に表示すると共に、前記防食或いは腐食情報に基づいて少なくとも一方を示す情報を前記パイプラインの位置に関係づけて地図上に表示するよう情報処理する情報処理手段を有したことを特徴とするパイプライン管理情報処理装置。
【請求項２３】
地図情報、パイプラインの敷設位置を示す敷設位置情報、及び、パイプラインの周囲環境を示す周囲環境情報を、少なくとも一時的に記憶する記憶手段と、前記記憶手段の記憶内容を読み出して、前記地図情報と前記敷設情報に基づいてパイプラインを示す図形情報を地図上に表示する共に、前記パイプラインの位置に関係づけて前記周囲環境情報を地図上に表示するよう情報処理する情報処理手段を有したことを特徴とするパイプライン管理情報処理装置。
【請求項２４】
パイプラインを走行する異なる液体間に生じるインターフェイスの位置に関する位置情報を取得する手段と、前記取得した位置情報に基づいて、前記インターフェイスが前記パイプラインの位置に関係付けて判別できるよう表示するための情報処理する情報処理手段を有したことを特徴とするパイプライン管理情報処理装置。
【発明の詳細な説明】
【技術分野】
【０００１】
本発明は、石油・ガスを輸送するパイプラインシステムに係り、特に、地理情報処理（ＧＩＳ：Ｇｉｏｇｒａｐｈｉｃ  Ｉｎｆｏｒｍａｔｉｏｎ  Ｓｙｓｔｅｍ）を用い石油・ガスパイプラインの管理データの処理を行うパイプライン管理データ処理装置、パイプライン管理データ処理方法、パイプライン管理データプログラム、及びパイプライン管理データ処理システムに関するものである。
【背景技術】
【０００２】
海外からタンカーによって搬送してきた石油は、港でタンカーから陸揚げして一旦、タンクに収納する。しかる後、このタンクから目的地まで敷設したパイプラインによって輸送している。このパイプラインは、土壌の良い箇所を選んでパイプラインの会社が敷設している。このパイプラインは、長尺のパイプを定尺のパイプに切って、それらを溶接等で接続して形成している。そして、定尺のパイプを溶接して接続して形成されるパイプラインは、陸送の場合は、地中に埋設するか、または、地上に敷設する。また、海を越えて輸送する場合は、海中に敷設される。
【０００３】
このようにしてパイプラインが、例えば、地中に埋設されると、パイプラインの位置は、位置データで把握され、地図上で具体的にどこに敷設されているかが判らない。また、パイプラインの位置が地図上で把握できないため、パイプラインの保守管理がスムーズにいかない。
【０００４】
一方、地理情報システム（ＧＩＳ：Ｇｉｏｇｒａｐｈｉｃ  Ｉｎｆｏｒｍａｔｉｏｎ  Ｓｙｓｔｅｍ）や、計算機支援設計（ＣＡＤ：Ｃｏｍｐｕｔｅｒ  Ａｉｄｅｄ  Ｄｅｓｉｇｎ）のような図形処理システムにおける図形データ管理方法に関しては、時間軸方向の検索を高速で容易に行える図形データ管理方法が提案されている（例えば、特許文献１参照。）。
【特許文献１】特開平１１−３１２２３３号公報（第２頁  第１図）
【発明の開示】
【発明が解決しようとする課題】
【０００５】
この特許文献１は、時間軸方向の検索を高速で容易に行える図形データ管理方法が開示されているだけで、図形データとパイプラインのデータ、周辺の環境情報が関連付けて表示できるものとはなっていない。
【０００６】
従来の地理情報システムを用いた石油・ガスパイプラインのデータを扱うシステムにおいては、図８に示すように、グラフィックディスプレイ１００に景観画像又は地図１１０とパイプライン１２０の経路を表示し、パイプライン１２０の選択した位置１２５の腐食検査データ１３０を、パイプライン１２０に重ね合わせ表示したり、パイプラインの選択した位置のパイプラインの属性データ（施設情報）をパイプラインに重ね合わせ表示する方式のものであった。
【０００７】
また、この従来の地理情報システムの構成には、図９（Ａ）に示す如きスタンドアロン方式、又は、図９（Ｂ）に示す如きクライアントサーバ方式が取られている。図９（Ａ）に示されるスタンドアロン方式は、全ての処理を１台の計算機のみで処理するシステムで、計算機（マイコン）２００を有し、この計算機（マイコン）２００は、アプリケーション部２１０とＤＢ（データベース）管理部２２０を有している。この計算機（マイコン）２００には、ＤＢ（データベース）２３０と、ディスプレイ２４０が接続されている。
【０００８】
また、図９（Ｂ）に示す如きクライアントサーバ方式は、ネットワーク下のアプリケーションが別のコンピュータ上で動いているプログラム同士で協調して１つの仕事をする仕組みで、クライアントプログラムが仕事を依頼し、サーバプログラムが依頼に応えて仕事をするものである。そして、このクライアントサーバ方式は、クライアント側に計算機（マイコン）３００が設けられており、この計算機（マイコン）３００は、アプリケーション部だけを有しており、この計算機（マイコン）３００には、ディスプレイ３１０が接続されている。そして、この計算機（マイコン）３００は、ＬＡＮケーブル３２０によってサーバ側の計算機（マイコン）３３０と通信可能に接続されている。この計算機（マイコン）３３０は、アプリケーション部３４０とＤＢ（データベース）管理部３５０を有している。この計算機（マイコン）３３０は、ＤＢ（データベース）３６０とＬＡＮケーブル３２０によって、通信可能に接続されている。
【０００９】
このように、従来のシステムでは、扱える情報の種類及び機能が限られており、また、拡張性が考慮されていなかった。
【００１０】
本発明の１つの目的は、地理情報システムに石油・ガスの可燃性燃料を輸送するパイプラインの管理データを蓄積し、景観画像又は地図を背景とするグラフィック画面上で、それらのデータを背景画面の位置に対応させて表示及び更新することにより、ユーザの情報管理の操作性を向上させることのできるパイプライン管理データ処理装置を提供することにある。
【００１１】
本発明の他の１つの目的は、地理情報システムに石油・ガスの可燃性燃料を輸送するパイプラインの管理データを蓄積し、景観画像又は地図を背景とするグラフィック画面上で、それらのデータを背景画面の位置に対応させて表示及び更新することにより、ユーザの情報管理の操作性を向上させることのできるパイプライン管理データ処理方法を提供することにある。
【００１２】
本発明のさらに１つの目的は、地理情報システムに石油・ガスの可燃性燃料を輸送するパイプラインの管理データを蓄積し、景観画像又は地図を背景とするグラフィック画面上で、それらのデータを背景画面の位置に対応させて表示及び更新することにより、ユーザの情報管理の操作性を向上させることのできるパイプライン管理データプログラムを提供することにある。
【００１３】
本発明のさらに他の１つの目的は、地理情報システムに石油・ガスの可燃性燃料を輸送するパイプラインの管理データを蓄積し、景観画像又は地図を背景とするグラフィック画面上で、それらのデータを背景画面の位置に対応させて表示及び更新することにより、ユーザの情報管理の操作性を向上させることのできるパイプライン管理データ処理システムを提供することにある。
【課題を解決するための手段】
【００１４】
本願請求項１に記載の発明は、種々のデータを記憶する記憶装置と、各種データや指示内容を入力する入力手段と、記憶装置の内容と入力手段から入力するデータや指示内容に基づいて演算処理を行う制御装置と、制御装置で演算処理した結果を表示するディスプレイとを備えたコンピュータにおいて、
表示地域を特定してディスプレイ上に当該特定した地図を表示する地図データを記録管理する地図データ管理手段と、
パイプラインの敷設位置を位置情報として記録管理するパイプラインの敷設データ管理手段と、
敷設されたパイプラインの属性データを記録管理するパイプラインの属性データ管理手段と、
パイプラインの位置に対応して検出した該パイプラインの各検出位置における防食データと腐食データを記録管理するパイプラインの防腐食データ管理手段と、
を備え、
地図データ管理手段によって管理される地図データ上に、パイプラインの敷設データ管理手段によって管理されるパイプラインの敷設データを重畳して表示すると共に、パイプラインの防腐食データ管理手段によって管理されるパイプラインの防腐食データをパイプライン上に重畳して表示するようにしたものである。
【００１５】
本願請求項２に記載の発明は、周囲環境データを、地形情報、土壌情報、土質情報、地滑り情報のいずれか１又は２以上のデータで構成したものである。
【００１６】
本願請求項３に記載の発明は、周囲環境データに、局地的な気象の特徴を示す気象情報を含んで構成したものである。
【００１７】
本願請求項４に記載の発明は、パイプラインの任意の箇所に複数のセンサを設け、このセンサによってデータを記録管理するパイプラインのセンサデータ管理手段を設けて構成したものである。
【００１８】
本願請求項５に記載の発明は、パイプラインの任意の箇所に設ける複数のセンサを、パイプライン内を走行する液体の流速を検出する流速度センサと、パイプライン内を走行する液体の色を検出する色彩センサと、パイプライン内を走行する液体の温度を検出する温度センサと、液体が走行するパイプライン内の圧力を検出する圧力センサと、パイプラインの腐食を監視する超音波又は磁気センサのいずれか１又は複数のセンサによって構成したものである。
【００１９】
本願請求項６に記載の発明は、パイプラインの属性データを、パイプラインを構成する単位パイプの長さ、単位パイプの接続方法、パイプラインを構成するパイプの材質、パイプラインを構成するパイプの厚さ、パイプラインのパイプ製造時期、パイプラインの敷設時期の１又は複数のデータの現在又は過去のもので構成したものである。
【００２０】
本願請求項７に記載の発明は、パイプラインの敷設データを、パイプを模式化して地図上に表示するようにしたものである。
【００２１】
本願請求項８に記載の発明は、複数の液体を切り替えて連続して輸送する際に、走行している液体から他の種類の液体に切り替えて、連続して送出したときに異なる液体間に生じるインターフェイスをパイプライン上に表示するようにしたものである。
【００２２】
本願請求項９に記載の発明は、インターフェイスのパイプライン上での表示を、インターフェイスの走行に追従して行うようにしたものである。
【００２３】
本願請求項１０に記載の発明は、インターフェイスの位置の検出を、異なる種類の液体に切り替えたタイミングと、流速度センサからの出力データとによって演算処理して行うものである。
【００２４】
本願請求項１１に記載の発明は、インターフェイスの位置の検出を、色彩センサによって色が変化したことの検出タイミングと、流速度センサからの出力データとによって、制御装置で演算処理して行うものである。
【００２５】
本願請求項１２に記載の発明は、地図データを、航空写真もしくは衛星写真に基づく実写画像データ、または、デジタル地図データで構成したものである。
【００２６】
本願請求項１３に記載の発明は、実写画像データを、三次元でディスプレイ上に表示できる三次元データで構成したものである。
【００２７】
本願請求項１４に記載の発明は、地図データと、実写画像データと、パイプラインの敷設データと、パイプラインの属性データと、周囲環境データと、防腐食データは、定期的にデータ内容を更新するようにしたものである。
【００２８】
本願請求項１５に記載の発明は、ディスプレイには、地図データ管理手段によって管理される地図データに基づいて表示される地図に、パイプラインの敷設データ管理手段によって管理されるパイプラインを重畳して表示すると共に、パイプラインの防腐食データ管理手段によって管理されるパイプラインの腐食状態を地図上に表示されるパイプライン上に重ね合わせて表示するようにしたものである。
【００２９】
本願請求項１６に記載の発明は、種々のデータを記憶する記憶装置と、各種データや指示内容を入力する入力手段と、記憶装置の内容と入力手段から入力するデータや指示内容に基づいて演算処理を行う制御装置と、制御装置で演算処理した結果を表示するディスプレイとを備えたコンピュータを用いてパイプライン管理データを処理する方法において、
予め記憶されている地図データに基づき表示地域を特定して地図をディスプレイ上に表示し、
予め記憶されているパイプラインの敷設データに基づいてパイプラインの敷設位置をディスプレイ上に表示されている地図上に重畳して表示し、
予め記憶されているパイプラインの防食データと腐食データに基づいて、パイプラインの各腐食状態検出位置におけるパイプラインの腐食進行程度に応じて腐食度を前記ディスプレイ上に表示されている地図上に重畳して表示し、
予め記憶されている敷設されたパイプラインの周囲環境データに基づいて予め設定されているパイプラインに与える環境現象毎の影響度に応じてパイプラインの周囲の環境情報を地図データと関連させて色分け表示することにより、パイプラインを構成する各パイプの周囲環境状況に基づいて受ける外的影響をリアルタイムで確認できるようにすることによって実現する。
【００３０】
本願請求項１７に記載の発明は、周囲環境データを、地形情報、土壌情報、土質情報、地滑り情報、局地的な気象情報のいずれか１又は２以上のデータで構成したものである。
【００３１】
本願請求項１８に記載の発明は、ディスプレイ上に表示する地図は、航空写真もしくは衛星写真に基づく実写画像、または、デジタル地図を三次元で表示したものである。
【００３２】
本願請求項１９に記載の発明は、種々のデータを記憶する記憶装置と、各種データや指示内容を入力する入力手段と、記憶装置の内容と入力手段から入力するデータや指示内容に基づいて演算処理を行う制御装置と、制御装置で演算処理した結果を表示するディスプレイとを備えたコンピュータを用いて、
予め記憶されている地図データに基づき表示地域を特定して地図をディスプレイ上に表示し、
予め記憶されているパイプラインの敷設データに基づいてパイプラインの敷設位置をディスプレイ上に表示されている地図上に重畳して表示し、
予め記憶されているパイプラインの防食データと腐食データに基づいて、パイプラインの各腐食状態検出位置におけるパイプラインの腐食進行程度に応じて腐食度を前記ディスプレイ上に表示されている地図上に重畳して表示し、
予め記憶されている地中に敷設されたパイプラインの周囲環境データに基づいて予め設定されているパイプラインに与える環境現象毎の影響度に応じてパイプラインの周囲の環境情報を地図データと関連させて色分け表示することにより、パイプラインを構成する各パイプの周囲環境状況に基づいて受ける外的影響をリアルタイムで確認できるようにパイプライン管理データを処理する方法で構成したものである。
【００３３】
本願請求項２０に記載の発明は、種々のデータを記憶する記憶装置と、各種データや指示内容を入力する入力手段と、記憶装置の内容と入力手段から入力するデータや指示内容に基づいて演算処理を行う制御装置と、制御装置で演算処理した結果を表示するディスプレイとを備えたコンピュータからなる管理サーバを備え、
パイプラインの管理を行う特定領域を表示する地図データを管理サーバで受信し、
パイプラインの敷設位置を位置情報として管理サーバで受信し、
敷設されたパイプラインの属性データを管理サーバで受信し、
パイプラインの管の位置に対応して、該パイプラインの周囲の環境情報を管理サーバで受信し、
パイプラインの管の位置に対応して検出したパイプラインの各検出位置における防食データと腐食データを管理サーバで受信し、
地図データにパイプラインの敷設位置に合わせて作図したパイプラインを重畳し、パイプラインの周囲の環境情報を地図データと関連させて地図データに重畳し、地図にパイプラインを重畳し、パイプラインの周囲の環境情報を重ね合わせて三次元でディスプレイに表示可能なデータとして特定の会員に配信し、
会員の要求に応じてパイプラインの管の位置に対応して検出したパイプラインの各検出位置における防食データと腐食データをパイプライン上に表示するデータとして会員に配信し、
地図上に、パイプラインを重畳して表示すると共に、パイプラインの腐食データをパイプライン上に重畳して表示するデータを会員に配信するようにして構成したものである。
【００３４】
本願請求項２１に記載の発明は、種々のデータを記憶する記憶装置と、各種データや指示内容を入力する入力手段と、前記記憶装置の内容と前記入力手段から入力するデータや指示内容に基づいて演算処理を行う制御装置と、前記制御装置で演算処理した結果を表示するディスプレイとを備えたコンピュータにおいて、
表示地域を特定してディスプレイ上に当該特定した地図を表示する地図データを記録管理する地図データ管理手段と、
液体輸送用のパイプラインの敷設位置を位置情報として記録管理するパイプラインの敷設データ管理手段と、
前記敷設されたパイプラインの属性データを記録管理するパイプラインの属性データ管理手段と、
を備え、
前記地図データ管理手段によって管理される地図データ上に、前記パイプラインの敷設データ管理手段によって管理されるパイプラインの敷設データを重畳して表示すると共に、前記パイプラインの防腐食データ管理手段によって管理されるパイプラインの防腐食データを前記パイプライン上に重畳して表示するようにしたものである。
【００３５】
本願請求項２２に記載の発明は、地図情報、パイプラインの敷設位置を示す敷設位置情報、及び、パイプラインの位置に関係付けられた防食或いは腐食情報を、少なくとも一時的に記憶する記憶手段と、記憶手段の記憶内容を読み出して、前記地図情報と敷設情報に基づいてパイプラインを示す図形情報を地図上に表示する共に、防食あるいは腐食情報に基づいて少なくとも一方を示す情報をパイプラインの位置に関係づけて地図上に表示するよう情報処理する情報処理手段を備えて構成したものである。
【００３６】
本願請求項２３に記載の発明は、地図情報、パイプラインの敷設位置を示す敷設位置情報、及び、パイプラインの周囲環境を示す周囲環境情報を、少なくとも一時的に記憶する記憶手段と、記憶手段の記憶内容を読み出して、地図情報と敷設情報に基づいてパイプラインを示す図形情報を地図上に表示する共に、パイプラインの位置に関係づけて周囲環境情報を地図上に表示するよう情報処理する情報処理手段を備えて構成したものである。
【００３７】
本願請求項２４に記載の発明は、パイプラインを走行する異なる液体間に生じるインターフェイスの位置に関する位置情報を取得する手段と、取得した位置情報に基づいて、インターフェイスがパイプラインの位置に関係付けて判別できるよう表示するための情報処理する情報処理手段を備えて構成したものである。
【発明の効果】
【００３８】
本発明によれば、地理情報システムに石油・ガスの可燃性燃料を輸送するパイプラインの管理データを蓄積し、景観画像又は地図を背景とするグラフィック画面上で、それらのデータを背景画面の位置に対応させて表示及び更新することにより、ユーザの情報管理の操作性を向上させることができる。
【発明を実施するための最良の形態】
【００３９】
本発明は、種々のデータを記憶する記憶装置と、各種データや指示内容を入力する入力手段と、記憶装置の内容と入力手段から入力するデータや指示内容に基づいて演算処理を行う制御装置と、制御装置で演算処理した結果を表示するディスプレイとを備えたコンピュータからなる管理サーバを備え、
管理サーバで石油・ガス輸送用のパイプラインの管理を行う特定領域を表示する地図データと、パイプラインの敷設位置の位置情報と、敷設されたパイプラインの属性データと、全長に渡るパイプラインの周囲の環境情報と、パイプラインの全長に渡って検出したパイプラインの各検出位置における防食データと腐食データを受信し、これらのデータに基づいて、地図データにパイプラインの敷設位置に合わせて作図したパイプラインを重畳し、パイプラインの周囲の環境情報を地図データと関連させて地図データに重畳し、地図にパイプラインを重畳し、パイプラインの周囲の環境情報を重ね合わせて三次元でディスプレイに表示可能なデータに加工して特定の会員に配信すると共に、会員の要求に応じてパイプラインの全長に渡って検出したパイプラインの各検出位置における防食データと腐食データをパイプライン上に表示するデータとして会員に配信して、ディスプレイに、パイプラインを地図上に重畳して表示すると共に、パイプラインの腐食データをパイプライン上に表示することによって実現する。
【実施例１】
【００４０】
以下、本発明の第１実施例について説明する。
【００４１】
図１には、本発明に係るパイプライン管理データ処理装置の実施例が示されている。
【００４２】
図１において、パイプライン管理データ処理装置１は、ユーザー処理装置２と、センター処理装置３とから構成されている。
【００４３】
ユーザー処理装置２は、ユーザー端末４と、ＧＩＳ（Ｇｉｏｇｒａｐｈｉｃ  Ｉｎｆｏｒｍａｔｉｏｎ  Ｓｙｓｔｅｍ：地理情報システム）サーバ８と、データサーバ１２と、ＳＣＡＤＡ（Supervisory Control And Daa Acquisition：計測データの制御及び監視システム）１３に接続されるＳＣＡＤＡバッファ１０と、ネットワークサーバ１１とがＬＡＮケーブルを介してＬＡＮ５に接続されて構成されている。図１においては、１つのユーザー端末が接続されているが、ユーザー端末を複数接続することもできる。
【００４４】
センター処理装置３は、コンピュータ１５と、このコンピュータ１５に接続されるセンタデータベース１８とによって構成されている。このコンピュータ１５には、アプリケーション開発・更新部１６と、ＤＢ管理・更新部１７とが設けられている。このコンピュータ１５は、センタデータベース１８に各種データを書き込んだり、センタデータベース１８に格納されている各種データを読み出して通信回線１４を介してＬＡＮ５のネットワークサーバ１１に送信する機能を有している。
【００４５】
このユーザー端末４は、エンドユーザ（例えば、パイプライン管理会社）に対するインタフェース装置であり、ＬＡＮ５にＬＡＮケーブルを介して接続されるコンピュータ６と、このコンピュータ６に接続されるディスプレイ７と入力装置（マウス・キーボード）１９によって構成されている。このコンピュータ６には、アプリケーション部９が設けられており、ＧＩＳサーバ８からの送信信号に基づいてディスプレイ７に必要な情報を表示させたり、入力装置によってデータを入力してＧＩＳサーバ８にアクセスできるようになっている。
【００４６】
このＧＩＳサーバ８は、コンピュータ６のアプリケーション部９と交信を行い、センター処理装置３からの送信されてくる制御信号に基づいて、センター処理装置３から送信されてくる制御信号をコンピュータ６のアプリケーション部に送信し、センター処理装置３から送信されてくる制御信号に基づく情報をディスプレイ７に表示させたり、入力装置によってコンピュータ６に入力される情報を受信する機能を有している。また、ＧＩＳサーバ８は、ユーザ端末４から送信されるデータを処理したり、データサーバ１２にデータを格納したり、データサーバ１２に格納されているデータを読み出す機能を有するものである。また、ネットワークサーバ１１は、ＬＡＮケーブルを介してＬＡＮ５と通信路１４との通信を管理するコンピュータである。
【００４７】
データサーバ１２は、ユーザー端末４のディスプレイ７に表示させるデータが記憶されている。このデータサーバ１２に記憶されるデータには、景観画像データ、地図データ、パイプラインの敷設データ、パイプラインの属性データ、パイプラインの防食データ、パイプラインの腐食データ、パイプラインに取り付けた各種センサ位置データ、パイプラインの周囲環境情報データが有る。
【００４８】
アプリケーション部９は、背景表示部９Ａ、パイプライン表示部９Ｂ、腐食データ表示部９Ｃ、防食データ表示部９Ｄ、ＳＣＡＤＡデータ表示部９Ｅ、属性データ表示部９Ｆ、インタフェース表示部９Ｇ、周囲環境情報表示部９Ｈによって構成されている。
【００４９】
背景表示部９Ａは、図２（ａ）に示す如く、入力装置１９からの入力に基づき、コンピュータ６及びＧＩＳサーバ８を介して、データサーバ１２に格納されている背景データ（景観画像又は地図）をディスプレイ７に表示するものである。この景観画像データは、上空から地上を撮影した、航空写真または衛星写真に基づく実写画像データで、画像とともに緯度・経度・標高の情報が付与されており、図３に示す如く三次元でディスプレイ上に表示できる。すなわち、背景表示部９Ａでは、背景データ（景観画像又は地図）を立体的に表示させ、ユーザ操作により視点を自由に変更することができ、地形の状況が判るようになっている。
【００５０】
パイプライン表示部９Ｂは、図２（ａ）に示す如く、入力装置１９からの入力に基づき、コンピュータ６及びＧＩＳサーバ８を介して、データサーバ１２に格納されているパイプライン経路データを図４上側画面に示す如くディスプレイ７に表示するものである。パイプライン経路データは、パイプラインの敷設データであり、経路ＩＤ、敷設日、基点からの距離、パイプラインの位置（緯度、経度、標高等）のデータ構造を持つデータベースとして記録したものである。この図４に示される画面表示においては、画面を分割して１つの画面に背景データにパイプラインを重ね合わせて二次元または三次元で表示し、別の画面にパイプラインの縦断面（標高）を表示することもできる。
【００５１】
また、背景データに重畳した状態で、パイプラインを三次元でディスプレイ上に表示すると、深さ方向に対しても地形に合わせて立体的に表示することができる。このパイプラインの敷設データは、本実施例においては、パイプラインが地中に埋設されている場合を例に採っているが、パイプラインが地上に敷設されている場合は、地表面のデータ、パイプラインが海底に沈めてある場合は、パイプラインの海中深度データとなる。また、例えば、ディスプレイを開くと、特定の国の国土全体の背景データが表示され、その中に１０００ｋｍ位の距離のパイプラインの概要図（一番大きな図）が表示され詳細な情報を見る場合には、パイプラインの概要図で表示されているパイプライン上の２点を選択して、ここをズームアップして詳細画面表示に遷移させることができる。
【００５２】
パイプラインの腐食データは、敷設されているパイプライン壁面の内部又は外部に生じる腐食、磨耗、亀裂、溶接不良等の異常個所を示す。パイプラインの腐食データは、超音波センサ又は磁気センサを搭載したロボットを石油・ガスと一緒に流しながら取得する（生データ）。ロボットにより取得した生データは、腐食検査会社が解析を行い、パイプラインの腐食状態を、腐食開始距離（その腐食の始点のパイプラインの基点からの距離）、腐食終了距離（その腐食の終点のパイプラインの基点からの距離）、腐食開始角度（その腐食の開始角度）、腐食終了角度（その腐食の終了角度）、腐食深さ（その腐食の深さ）、腐食が壁面の外側か内側か、データ取得日、等の腐食データとして記録する。
【００５３】
腐食データ表示部９Ｃは、図２（ａ）に示す如く、入力装置１９からの入力に基づき、コンピュータ６及びＧＩＳサーバ８を介して、データサーバ１２に格納されているパイプラインの腐食データを、図５の上側画面に示す如くディスプレイ７に表示するものである。この腐食データは、腐食開始距離、腐食終了距離、腐食開始角度、腐食終了角度、腐食深さ、腐食が壁面の外側か内側か、データ取得日、等の構造をもつデータベースとして、データサーバ１２に格納されている。また、図５の上側画面に表示されたパイプラインの任意の２点を指定することにより、その２点間のパイプラインの腐食発生箇所が図５の上側画面のパイプラインの画面上にハイライト表示されると共に、その２点間のパイプラインの腐食発生箇所の腐食データが図５の下側画面のように別画面に表示される。図５の下側画面は、腐食データを、パイプラインの基点からの距離と、パイプを展開した位置（時計に見立てて何時、または、何度）により、腐食深さにより色分けして、ディスプレイ上に表示している。このように、地図上で腐食位置を確認できるシステムが開発されている。
【００５４】
本実施例では、図４の下側画面の縦断面表示を、図５の下側画面の腐食表示と左端の始点と右端の終点の距離を一致させて、図５の下側画面の腐食表示の下に表示させることにより、ユーザは腐食状態とパイプラインの起伏とを比較することができる。パイプラインは、凹型に設置された部分で腐食が発生しやすいため、この機能により凹部分の腐食状態を確認することができる。また、パイプラインの内部腐食は、石油・ガスの種類別データを持つことで、パイプ腐食の進行の傾向を知ることができる。腐食データはデータ取得日の情報をもっているため、時間範囲を指定した表示も可能である。さらに、パイプラインの腐食の過去のデータを時系列管理することで、将来の腐食の広がりを予測することができ、パイプ腐食検査の時期の意思決定を支援することができる。
【００５５】
パイプラインの防食データは、地中に埋設されているパイプラインに施している防食状況を示すデータである。パイプラインは、地中に埋めると酸化によりパイプが溶け出し（腐食）、溶け出すとイオン化し、電子が流れ腐食が進む。金属製のパイプラインに所定の電位を掛けておくと、腐食の発生を予防でき、腐食が発生しても腐食の進行を防止できることが判っている（防食という）。パイプラインの防食状態は、ＯＦＦ電圧とＯＮ電圧を測定し、ＯＦＦ電圧が規定値（例えば０．８５Ｖ）を超える場合は防食効果が不十分で腐食が進行する可能性があることがわかる。パイプライン会社では、３ヶ月、６ヶ月、１年、２年というような間隔で電圧測定の検査を行い、パイプラインの基点からの距離、ＯＮ電圧、ＯＦＦ電圧及び検査日の情報を記録する。しかしながら、従来、防食データはパイプライン会社内で個別に扱われており、情報システム上で地図や腐食データ等と統合管理はされていなかった。
【００５６】
防食データ表示部９Ｄは、図２（ａ）に示す如く、入力装置１９からの入力に基づき、コンピュータ６及びＧＩＳサーバ８を介して、データサーバ１２に格納されている防食データを図７上側画面に示す如くディスプレイ７に表示するものである。この防食データは、防食ＩＤ、取得日時、パイプラインの基点からの距離、ＯＮ電圧、ＯＦＦ電圧、等の構造をもつデータベースとして、データサーバ１２に格納されている。また、図７の上側画面に表示されたパイプラインの任意の２点を指定することにより、その２点間のパイプラインで、ＯＦＦ電圧が規定値を超過する箇所を防食異常箇所として、図７の上側画面のパイプラインの画面上にハイライト表示すると共に、その２点間のパイプラインの防食異常位置とＯＮ電圧、ＯＦＦ電圧の値が図７の下側画面の如く別画面に表示される。このように防食異常箇所が背景データ上に表示されるため、ユーザは直感的かつ容易に防食異常箇所を確認することができる。
【００５７】
また、パイプラインの防食データ構造に検査日情報をもっているため、特定の時間範囲を指定した表示も可能である。指定した期間の防食データを同時に表示させることで、ユーザは防食環境の変化を確認することができる。また、指定した期間の防食データを重ね合わせ表示して、規定値以上の偏差がある箇所をハイライト表示することにより、ユーザは防食装置の不具合等の防食環境の変化を可視的に確認することができる。また、防食データと腐食データを重ね合わせ表示することにより、ユーザは防食と腐食との相関を可視的に確認することができる。
【００５８】
ＳＣＡＤＡ（Supervisory Control And Daa Acquisition：計測データの制御及び監視システム）１３は、計測データの制御及び監視システムであり、本実施例の場合を例にとると、開閉バルブのリアルタイム遠隔制御や、パイプラインの始点・終点や途中に監視センサを設置して、リアルタイム遠隔監視を行う装置である。
【００５９】
このセンサには、パイプライン内の圧力を測定する圧力センサ、パイプライン内を流れる液体の速さを測定する流量センサ、パイプライン内を流れる液体の比重を測定する比重センサ、パイプライン内を流れる液体の色彩を測定する色センサ、パイプライン内を流れる液体の温度を測定する温度センサ、パイプラインの腐食を監視する超音波又は磁気センサ、漏洩検知センサ、地震センサ等がある。これらのセンサは、開閉バルブの前後であるとか、数ｋｍおきに設置され、センサのデータは通信路を介してリアルタイムでＳＣＡＤＡ１３に送信され、図１には示されていないがＳＣＡＤＡ１３に接続される画面に表示される。ＳＣＡＤＡのデータは、センサの種類とセンサの設置場所によって一意に決められる識別子（ＳＣＡＤＡ−ＩＤ）と、センサのデータ、ＳＣＡＤＡ１３がセンサのデータ受信した時刻により構成される。ＳＣＡＤＡでは、施設の系統図上にデータを表示するが、背景データ上に重畳することはできないため、異常が生じた場合にどこで異常が起きているかはわからない。
【００６０】
本実施例では、ＳＣＡＤＡ１３はＳＣＡＤＡバッファ１０に接続されており、ＳＣＡＤＡ１３は、予め指定したＳＣＡＤＡ ＩＤのデータ受信すると、そのデータをＳＣＡＤＡバッファ１０に転送する。ＳＣＡＤＡバッファ１０は、ＳＣＡＤＡ１３から受信したデータを一定時間蓄積する。また、データサーバ１２には、各ＳＣＡＤＡ ＩＤとその位置（緯度・経度）を対応付けるデータベースが記録されている。
【００６１】
ＳＣＡＤＡデータ表示部９Ｅは、図２（ｂ）に示す如く、入力装置１９からの入力に基づき、コンピュータ６及びＧＩＳサーバ８を介して、ＳＣＡＤＡバッファ１０に格納されているＳＣＡＤＡデータをディスプレイ７に背景データに重ね合わせ表示するものである。ユーザは、表示したいＳＣＡＤＡＩＤ、センサの種類、センサの設置場所の１つ以上を選択する。ＧＩＳサーバ８は、入力されたＳＣＡＤＡ ＩＤに対応するデータで、最も時刻が遅いものを、ＳＣＡＤＡバッファ１０からユーザ端末４に転送し、ディスプレイ７に背景データ上の対応する位置に重ね合わせ表示する。これにより、ＳＣＡＤＡデータに異常が発生した場合、どの位置で異常が発生したかが可視的に確認できる。
【００６２】
パイプライン表示部９Ｆは、図２（ａ）に示す如く、入力装置１９からの入力に基づき、コンピュータ６及びＧＩＳサーバ８を介して、データサーバ１２に格納されているパイプラインの属性データを背景データ上の対応する位置にディスプレイ７に表示するものである。パイプラインの属性データは、パイプラインが持っている性質、パイプラインの特性等のデータである。このパイプラインの属性データは、パイプラインの始点からの距離、パイプラインを構成する単位パイプの長さ、単位パイプの接続方法、パイプラインを構成するパイプの材質、パイプラインを構成するパイプの厚さ、パイプラインのパイプ製造時期、パイプラインの敷設時期等の構造をもつデータベースとして、データサーバ１２に格納されている。このパイプラインの属性データは、過去のデータと、現在のデータとが格納されている。
【００６３】
１本のパイプには複数種類の油を１種類づつ切れ目無く、連続して流す技術がある。すなわち、種類Ａの油を所定時間供給した後、バルブを切り替えて、種類Ｂの油を種類Ａの油に続けて供給する。このように複数種類の油を１種類づつ切れ目無く、連続して流す場合、２種類の異なる油の界面（これをインターフェイスという）は、２種類の油が混じり合う。
【００６４】
この２種類の油が混じり合った部分は、混入の割合によって低質の油に混入するか、又は、再精製するため、このインターフェイスを正確に把握し、バルブの切り替えを行う必要がある。輸送する石油の種類によって、色及び比重センサの値が変化するため、あるセンサによって石油の色及び比重の変化が検出されれば、インターフェイスの位置が判る。しかしながら、従来、インタフェースの位置を地図上で確認できるシステムはなかった。インタフェース表示部９Ｇは、図２（ｂ）に示す如く、入力装置１９からの入力に基づき、コンピュータ６及びＧＩＳサーバ８を介して、ＳＣＡＤＡバッファ１０に格納されているＳＣＡＤＡデータに基づき、インタフェースの位置をディスプレイ７に背景データに重ね合わせ表示するものである。輸送している油の流速とパイプラインの距離に従って、インターフェイスの走行に追従して表示することができ、また、検出から何時間後にインターフェイスが所定の場所（切り換えバルブ位置）に到達するかが分かる。
【００６５】
周囲環境情報表示部９Ｈは、図２（ａ）に示す如く、入力装置１９からの入力に基づき、コンピュータ６及びＧＩＳサーバ８を介して、データサーバ１２に格納されている周囲環境情報データを背景データ上の対応する位置にディスプレイ７に表示するものである。パイプラインの周囲環境情報データは、パイプラインを敷設してある周りの環境の変化の情報である。従来、このようなパイプラインの周囲環境情報データはシステム上で統合管理されていなかった。この周囲環境情報データには、地形情報データ、土壌・土質情報データ、急傾斜情報データ、局地的な気象データがある。
【００６６】
地形情報データは、パイプラインが敷設されている周辺の地表面座標（緯度・経度・標高）の情報及び画像の情報である。例えば、地滑りが発生すると、ある緯度・経度地点の地表面の標高が変化することがある。この標高データをデータ取得日時とともにデータベースに格納し、変化の大きい地点を色分け表示させることにより、パイプラインに外圧がかかっているリスクの高い地点を識別することができる。
【００６７】
また、土壌・土質情報データは、パイプラインが敷設されている周辺の土壌・土質の情報で、砂地敷、粘土質、岩質といった情報である。また、急傾斜データは、パイプラインが敷設されている周辺の標高情報に基づき、規定値以上の傾斜角の地点を色分け表示することにより、地滑りのリスクの高い地点を識別することができる。また、局地的な気象データは、パイプラインが敷設されている周辺で集中豪雨があったとかの気象情報である。これらパイプラインの周囲環境情報データは、過去のデータと、現在のデータとが格納されている。
【００６８】
また、ＧＩＳ基本機能２０とＧＩＳサーバ８とデータサーバ１２とによって、地中に敷設されるパイプラインの表示地域を特定してユーザ端末４のディスプレイ７に、この特定した地図を表示する地図データを記録管理する地図データ管理手段が構成されている。
【００６９】
また、ＧＩＳ基本機能２０とＧＩＳサーバ８とデータサーバ１２とによって、敷設される石油・ガスパイプラインの敷設位置を位置情報として記録管理するパイプラインの敷設データ管理手段が構成されている。
【００７０】
また、ＧＩＳ基本機能２０とＧＩＳサーバ８とデータサーバ１２によって、敷設される石油・ガスパイプラインの属性データを記録管理する属性データ管理手段が構成されている。
【００７１】
また、ＧＩＳ基本機能２０とＧＩＳサーバ８とデータサーバ１２とによって、敷設される石油・ガスパイプラインの周囲の環境情報を地図データ管理手段に記憶管理される地図データと関連させて記録管理する周囲環境データ管理手段が構成されている。
【００７２】
また、ＧＩＳ基本機能２０とＧＩＳサーバ８とデータサーバ１２とによって、敷設される石油・ガスパイプラインの全長に渡って（管の位置に対応して）検出した、パイプラインの各検出位置における防食データと腐食データを記録管理するパイプラインの防腐食データ管理手段構成されている。
【００７３】
ユーザがアプリケーション更新を行いたい場合、図２（ｃ）に示す如く、入力装置１９からの入力信号に基づき、コンピュータ６、ＧＩＳサーバ８及びネットワークサーバ１１を介し、アプリケーション開発・更新１６において処理を行い、アプリケーション更新情報を、ネットワークサーバ１１を介し、コンピュータ６に送信し、コンピュータ６のアプリケーションの更新を行うことができる。
【００７４】
図２（ｄ）に示す如く、ユーザからの入力を介さず、アプリケーション開発・更新１６からの指令により、アプリケーション更新情報を、ネットワークサーバ１１を介し、コンピュータ６に送信し、コンピュータ６のアプリケーションの更新を行うこともできる。
【００７５】
ユーザがデータベース更新を行いたい場合、図２（ｅ）に示す如く、入力装置１９からの入力信号に基づき、コンピュータ６、ＧＩＳサーバ８及びネットワークサーバ１１を介し、ＤＢ管理・更新１７からの信号に従い、センタデータベース１８のデータベースを更新するとともに、ＤＢ管理・更新１７からの信号に従い、ネットワークサーバ１１を介し、データサーバ１２のデータベースの更新を行うことができる。
【００７６】
図２（ｆ）に示す如く、ユーザからの入力を介さず、ＤＢ管理・更新１６からの信号に従い、ネットワークサーバ１１を介し、データサーバ１２のデータベースの更新を行うこともできる。
【実施例２】
【００７７】
以下、本発明の第２実施例について説明する。
【００７８】
本発明に係るパイプライン管理データ処理方法の実施例は、図１に示されている。このパイプライン管理データ処理方法は、図１に図示のユーザー処理装置２とセンター処理装置３とから構成されるパイプライン管理データ処理装置１によって実現される。このユーザー処理装置２は、ユーザー端末４と、このユーザー端末４が接続され、このユーザー端末４に信号を出力するユーザー信号処理部とによって構成されている。
【００７９】
このユーザー端末４は、エンドユーザ（例えば、パイプライン管理会社）対するインタフェース装置であり、ユーザー信号処理部にＬＡＮケーブルを介して接続されるコンピュータ６と、このコンピュータ６に接続されるディスプレイ７とによって構成されている。このコンピュータ６には、アプリケーション部が設けられており、センター処理装置３からの送信信号に基づいてディスプレイ７に必要な情報を表示させたり、図示されていないがコンピュータ６に接続される入力装置によってデータを入力してセンター処理装置３にアクセスできるようになっている。
【００８０】
また、ユーザー信号処理部は、ＧＩＳサーバ８と、データサーバ１２とＳＣＡＤＡ（Supervisory Control And Daa Acquisition：計測データの制御及び監視システム）１３と、ＳＣＡＤＡバッファ１０と、ネットワークサーバ１１とによって構成されており、このＳＣＡＤＡは、ＬＡＮ５によってユーザー端末４（図１においては、１つのユーザー端末が接続されているが、ユーザー端末を複数接続することもできる）に接続されている。
【００８１】
このユーザー端末４のコンピュータ６には、アプリケーション部９が設けられている。ユーザー信号処理部のＧＩＳサーバ８は、アプリケーション部９と交信を行い、センター処理装置３からの送信されてくる制御信号（指令信号・データ信号）に基づいて、センター処理装置３から送信されてくる制御信号をコンピュータ６のアプリケーション部に送信し、センター処理装置３からの送信されてくる制御信号に基づく情報をディスプレイ７に表示させたり、入力装置によってコンピュータ６に入力される情報を受信する機能を有している。また、ＳＣＡＤＡバッファ１０は、データサーバ１２にデータを格納したり、データサーバ１２に格納されているデータを読み出したりして、データサーバ１２に記憶されているデータを管理する機能を有するものである。
【００８２】
このようにＧＩＳサーバ８は、センター処理装置３から送信されてくるデータをデータサーバ１２に格納したり、センター処理装置３から送信されてくる情報を処理したり、ユーザー端末４から送信されてくるデータをデータサーバ１２に格納したり、センター処理装置３に送信したり、ユーザー端末４から送信されてくる情報を処理したりする制御処理装置である。
【００８３】
また、ネットワークサーバ１１は、ＬＡＮケーブルを介してＬＡＮ５に接続されるユーザー端末４との通信を管理するコンピュータで、センター処理装置３から送信されてくる情報、データをＧＩＳサーバ８に送信したり、ユーザー端末４からＧＩＳサーバ８に送信された情報、データをＧＩＳサーバ８から送信されたセンター処理装置３に送信したりするためのものである。
【００８４】
また、データサーバ１２は、センター処理装置３から送信されてくる情報、データを格納したり、ユーザー端末４から送信されてくる情報、データを格納するデータベースである。また、ＳＣＡＤＡ（Supervisory Control And Daa Acquisition）１３は、計測データの制御及び監視システムのことである。そして、本実施例におけるパイプラインの場合を例にとると、開閉バルブのリアルタイム遠隔制御や、パイプラインのターミナルや途中に監視センサ（温度、流速、色、圧力、漏洩検知、地震等）を設置して、リアルタイム遠隔監視を行う装置である。
【００８５】
ユーザー信号処理部には、通信回線１４を介してセンター処理装置３と通信可能になっている。このセンター処理装置３は、コンピュータ１５と、このコンピュータ１５に接続されるデータベース（ＤＢ）１８とによって構成されている。このコンピュータ１５には、アプリケーション開発・更新部１６と、ＤＢ（データベース）開発・更新部１７とが設けられている。このコンピュータ１５は、データベース（ＤＢ）１８に各種データを書き込んだり、データベース（ＤＢ）１８に格納されている各種データを読み出して通信回線１４を介してユーザー信号処理部のネットワークサーバ１１に送信する機能を有している。
【００８６】
このアプリケーション開発・更新部１６は、パイプラインの保守に関するデータ項目が増加した場合に、プログラム内容を更新したり、新しい周囲環境情報が必要な場合に、その新しい周囲環境情報の開発を行う機能を有するものである。また、ＤＢ（データベース）開発・更新部１７は、パイプラインの所定箇所に取り付けられている各種センサによって検出されるデータ、パイプラインの点検によって検出される情報（例えば、腐食データ）などを管理して、新しいデータの入力があると、データベース（ＤＢ）１８に各種データを書き込んで、データベース（ＤＢ）１８のデータの更新を行う。
【００８７】
データベース（ＤＢ）１８は、ユーザー端末４のディスプレイ７に表示させるデータが記憶されている。このデータベース（ＤＢ）１８に記憶されるデータには、景観画像データ、地図データ、パイプラインの敷設データ、パイプラインの属性データ、パイプラインの防食データ、パイプラインの腐食データ、パイプラインに取り付けた各種センサ位置データ、パイプラインの周囲環境情報データが有る。景観画像データは、上空から地上を撮影した航空写真又は衛星写真に基づく実写画像データで、この実写画像データは、三次元でディスプレイ上に表示できる三次元データで構成されている。そして、パイプラインの周囲環境情報データには、地形情報、土壌情報、土質情報、地滑り情報、局地的な気象情報がある。また、ディスプレイ上に表示する背景は、航空写真又は衛星写真に基づく実写画像又はデジタル地図を三次元で表示したものである。
【００８８】
地中に埋設されているパイプラインは、１本であるが、この１本のパイプに複数種類の油を１種類づつ切れ目無く、連続して流している。すなわち、種類Ａの油を所定時間供給した後、バルブを切り替えて、種類Ｂの油を種類Ａの油に続けて供給する。このように複数種類の油を１種類づつ切れ目無く、連続して流しているが、２種類の異なる界面（これをインターフェイスという）は、２種類の油が混じり合う。
【００８９】
したがって、この２種類の油が混じり合った部分は、廃棄するのだが、このインターフェイスは、正確に把握する必要がある。この輸送する油が変わると、輸送する油の種類によって、色及び比重が異なるため、一番近いセンサによって石油の色及び比重を検知すれば、インターフェイスが今どこを走っているかが判る。その検出時間（タイミング）が分かれば、その検出時から何時間か後にインターフェイスが所定の場所（切り換えバルブ位置）に来ることが分かる。このインターフェイスのパイプライン上での表示は、輸送している油の流速とパイプラインの距離が判れば、インターフェイスが走行していくのに追従して表示することができる。
【００９０】
このようにセンター処理装置３は、データベース（ＤＢ）１８である種々のデータを記憶する記憶装置と、図示されていないが、コンピュータ１５に接続されるキーボード等の各種データや指示内容を入力する入力手段と、データベース（ＤＢ）１８の内容と入力手段から入力するデータや指示内容に基づいて演算処理を行うコンピュータ（制御装置）１５と、コンピュータ（制御装置）１５で演算処理した結果を表示する図示していないがコンピュータ１５に接続されるディスプレイとを備えている。
【００９１】
また、コンピュータ１５のアプリケーション開発・更新部１６、ＤＢ（データベース）開発・更新部１７と、データベース（ＤＢ）１８とによって、地中に敷設されるパイプラインの表示地域を特定してユーザ端末４のディスプレイ７に、この特定した地図を表示する背景データを表示し、コンピュータ１５のアプリケーション開発・更新部１６、ＤＢ（データベース）開発・更新部１７と、データベース（ＤＢ）１８とによって、予め記憶されているパイプラインの敷設データに基づいてパイプラインの敷設位置をディスプレイ上に表示されている背景上に重畳して表示し、コンピュータ１５のアプリケーション開発・更新部１６、ＤＢ（データベース）開発・更新部１７と、データベース（ＤＢ）１８とによって、予め記憶されているパイプラインの腐食データに基づいて、パイプラインの各腐食状態検出位置におけるパイプラインの腐食進行程度に応じて腐食度を前記ディスプレイ上に表示されている背景上に重畳して表示し、コンピュータ１５のアプリケーション開発・更新部１６、ＤＢ（データベース）開発・更新部１７と、データベース（ＤＢ）１８とによって、予め記憶されているパイプラインの防食データに基づいて、パイプラインの各防食情報検出位置におけるパイプラインの防食情報を前記ディスプレイ上に表示されている背景上に重畳して表示し、コンピュータ１５のアプリケーション開発・更新部１６、ＤＢ（データベース）開発・更新部１７と、データベース（ＤＢ）１８とによって、予め記憶されている敷設されたパイプラインの周囲環境データに基づいて予め設定されているパイプラインに与える環境現象毎の影響度に応じてパイプラインの周囲の環境情報を背景データと関連させて色分け表示することにより、パイプラインを構成する各パイプの周囲環境状況に基づいて受ける外的影響をリアルタイムで常時確認できるようになっている。
【実施例３】
【００９２】
以下、本発明の第３実施例について説明する。
【００９３】
本発明に係るパイプライン管理データプログラムの実施例は、図１において説明したパイプライン管理データ処理装置又はパイプライン管理データ処理方法をプログラムとして構築したものである。すなわち、パイプライン管理データプログラムは、種々のデータを記憶する記憶装置と、各種データや指示内容を入力する入力手段と、記憶装置の内容と入力手段から入力するデータや指示内容に基づいて演算処理を行う制御装置と、制御装置で演算処理した結果を表示するディスプレイとを備えたコンピュータを用いて、予め記憶されている背景データ（地図及び景観画像）に基づき表示地域を特定して背景をディスプレイ上に表示し、予め記憶されている石油・ガスパイプラインの敷設データに基づいてパイプラインの敷設位置をディスプレイ上に表示されている背景上に重畳して表示し、予め記憶されているパイプラインの腐食データに基づいて、パイプラインの各腐食状態検出位置におけるパイプラインの腐食進行程度に応じて腐食度を前記ディスプレイ上に表示されている地図上に重畳して色分け表示し、予め記憶されているパイプラインの防食データに基づいてパイプラインの防食状態をディスプレイ上に表示されている背景上に重畳して表示し、予め記憶されている敷設されたパイプラインの周囲環境データに基づいて予め設定されているパイプラインに与える環境現象毎の影響度に応じてパイプラインの周囲の環境情報を背景データと関連させて色分け表示することにより、パイプラインを構成する各パイプの周囲環境状況に基づいて受ける外的影響をリアルタイムで常時確認できるようにパイプライン管理データを処理する方法をプログラムとして構築する。
【実施例４】
【００９４】
以下、本発明の第４実施例について説明する。
【００９５】
図７には、本発明に係るパイプライン管理データ処理システムの一実施例が示されている。このパイプライン管理データ処理システム５０は、顧客側システム６０と、地域ジマティックスセンタ７０と、中央ジマティックスセンタ８０とによって構成されており、顧客側システム６０と、地域ジマティックスセンタ７０と、中央ジマティックスセンタ８０とにおけるデータの送受信関係が図９に示されている。
【００９６】
図７において、顧客側システム６０には、ＳＣＡＤＡ６１が設けられており、このＳＣＡＤＡ６１にはパイプラインの所定箇所（例えば、１ｋｍ置き、１０ｋｍ置き、２０ｋｍ置き、３０ｋｍ置き等）に取り付けた各種センサ６２Ａ〜６２Ｎが接続されている。このセンサ６２Ａ〜６２Ｎには、圧力センサ（パイプライン内の圧力を測定する）、流量センサ（パイプライン内を流れる液体の速さを測定する）、比重センサ（パイプライン内を流れる液体の比重を測定する）、色センサ（パイプライン内を流れる液体の色彩を測定する）、温度センサ（パイプライン内を流れる液体の温度を測定する）がある。このＳＣＡＤＡ６１は、図１に図示のＳＣＡＤＡ１３と同一のもので、これら各種センサ６２Ａ〜６２Ｎから送信されてくる計測データの制御及び監視を行う。すなわち、ＳＣＡＤＡ６１は、パイプラインの開閉バルブのリアルタイム遠隔制御や、パイプラインのターミナルや途中に監視センサ６２Ａ〜６２Ｎ（温度センサ、流速センサ、色彩センサ、圧力センサ、漏洩検知センサ、地震センサ等）を設置して、リアルタイム遠隔監視を行う装置である。
【００９７】
この顧客側システム６０においては、ＳＣＡＤＡ６１によって各種センサ６２Ａ〜６２Ｎからの測定データを取り込み、このＳＣＡＤＡ６１で取り込んだ各種センサ６２Ａ〜６２Ｎからのデータを、ＳＣＡＤＡ６１に接続されるデータバッファ６２で取り込み、それをＧＩＳ（地理情報システム）６３の方のデータベース（ＤＢ）中に取り込む。ＧＩＳ（地理情報システム）６３では、このデータベース（ＤＢ）中に各種センサ６２Ａ〜６２Ｎからの測定データを取り込むことによって、測定結果を表示することができる。このＳＣＡＤＡ６１で取り込んだ各種センサ６２Ａ〜６２Ｎからのデータを、ＧＩＳ（地理情報システム）６３に直接取り込まないで、データバッファ６２を介しているのは、ＳＣＡＤＡ６１で取り込んだ各種センサ６２Ａ〜６２Ｎのデータの取り込み方が一致していないからで、データバッファ６２は、ＳＣＡＤＡ６１とＧＩＳ（地理情報システム）６３のデータ信号の整合を図るものである。このＧＩＳ（地理情報システム）６３は、インターネット６５を介して他のＧＩＳ（地理情報システム）６４と通信ができるようになっている。
【００９８】
この顧客側システム６０においては、ＳＣＡＤＡ６１で取り込んだ各種センサ６２Ａ〜６２Ｎのデータを取り込んでも、データの解析はできないので、データの解析を行う地域ジマティックスセンタ７０がある。この地域ジマティックスセンタ７０は、全世界的なレベルで見れば、各国に置かれた拠点であり、中央ジマティックスセンタ８０が、この地域ジマティックスセンタ７０を統括する拠点となる。
【００９９】
この地域ジマティックスセンタ７０は、ＧＩＳ（地理情報システム）解析装置７１を備えており、このＧＩＳ（地理情報システム）解析装置７１には、データバッファ７２を介してデータバッファ７２に接続される環境センサ７３によって検出された環境データが取り込まれる。このＧＩＳ（地理情報システム）解析装置７１に取り込まれた環境データは、ＧＩＳ（地理情報システム）解析装置７１のデータベース（ＤＢ）に取り込れる。この環境センサ７３は、パイプラインの周囲環境の情報をデータ化したもので、環境センサ７３には、地形情報検出センサ、土壌情報検出センサ、土質情報検出センサ、地滑り情報検出センサ、局地的な地域別に気象の変化を検出する気象情報検出センサがある。
【０１００】
さらに、このＧＩＳ（地理情報システム）解析装置７１には、定期的にデータ提供機関７５から、景観画像データ、地図データ、パイプラインの敷設データ、パイプラインの属性データ、パイプラインの防食データ、パイプラインの腐食データ、パイプラインに取り付けた各種センサ位置データが提供され、データバッファ７２を介してＧＩＳ（地理情報システム）解析装置７１のデータベース（ＤＢ）に取り込れ、記憶されている。
【０１０１】
これらの環境センサ７３で検出したデータをデータバッファ７２を介してＧＩＳ（地理情報システム）解析装置７１に取り込んで、周囲環境情報データに基づいて、パイプラインの周囲の状態を解析する。このＧＩＳ（地理情報システム）解析装置７１の機能としては、地図データに周囲環境情報データを重ね合わせたり、従前の周囲環境情報データと最新の周囲環境情報データとを比較し、その変化率から異常値を判断（解析）するといったことを行う。そして、この解析結果、パイプラインの周囲の状況が異常な状態であれば、顧客側システム６０のＧＩＳ（地理情報システム）６３にアラームを出力する。
【０１０２】
したがって、この顧客側システム６０におけるＧＩＳ（地理情報システム）６３は、地域ジマティックスセンタ７０のＧＩＳ（地理情報システム）解析装置７１によって解析したデータを受け取って、それを単に見るだけというビューアタイプのＧＩＳ（地理情報システム）であっても良い。
【０１０３】
また、中央ジマティックスセンタ８０は、国内にあってもよいが、海外にあっても良く、例えば、日本に置ければ、地域ジマティックスセンタ７０は、外国の１つ１つの国に設置されるものである。したがって、中央ジマティックスセンタ８０は、全ての地域ジマティックスセンタ７０のＧＩＳ（地理情報システム）解析装置７１を統括する拠点となり、ＧＩＳ（地理情報システム）サーバ８１で構成されている。このＧＩＳ（地理情報システム）サーバ８１では、基板ソフトの拡張であるとか、データソフトの開発／管理を行っている。
【０１０４】
このＧＩＳ（地理情報システム）サーバ８１では、衛星９１によって収集される衛星画像を配信する衛星画像配信装置９２から衛星画像の配信を受ける。このＧＩＳ（地理情報システム）サーバ８１は、地域ジマティックスセンタ７０のＧＩＳ（地理情報システム）解析装置７１からデータ／ソフトサーバ７４を介して要求される画像情報を衛星画像配信装置９２から配信された衛星画像の中から選別して画像情報をインターネット８５を介して、あるいは、通信衛星９０を介して送信する。
【０１０５】
このようにパイプライン管理データ処理システム５０は、種々のデータを記憶する記憶装置（ＧＩＳサーバ８１）と、各種データや指示内容を入力する入力手段と、記憶装置の内容と入力手段から入力するデータや指示内容に基づいて演算処理を行う制御装置（ＧＩＳサーバ８１）と、制御装置で演算処理した結果を表示するディスプレイとを備えたコンピュータからなる管理サーバ（ＧＩＳサーバ８１）を備え（中央ジマティックスセンタ８０）、液体輸送用のパイプラインの管理を行う特定領域を表示する地図データを管理サーバ（ＧＩＳサーバ８１）で受信し、パイプラインの敷設位置を位置情報として管理サーバ（ＧＩＳサーバ８１）で受信し、敷設されたパイプラインの属性データを管理サーバ（ＧＩＳサーバ８１）で受信（中央ジマティックスセンタ８０）し、パイプラインの全長に渡って、該パイプラインの周囲の環境情報を管理サーバ（ＧＩＳサーバ８１）で受信し、パイプラインの全長に渡って検出したパイプラインの各検出位置における防食データと腐食データを管理サーバ（ＧＩＳサーバ８１）で受信し、地図データにパイプラインの敷設位置に合わせて作図したパイプラインを重畳し、パイプラインの周囲の環境情報を地図データと関連させて地図データに重畳し、地図にパイプラインを重畳し、パイプラインの周囲の環境情報を重ね合わせて三次元でディスプレイに表示可能なデータとして特定の会員に配信（ＧＩＳサーバ８１）し、会員の要求に応じてパイプラインの全長に渡って検出したパイプラインの各検出位置における防食データと腐食データをパイプライン上に表示するデータとして会員に配信し（ＧＩＳサーバ８１）、地図上に、パイプラインを重畳して表示すると共に、パイプラインの腐食データをパイプライン上に重畳して表示するデータを会員（地域ジマティックスセンタ７０）に配信するように構成されている。
【図面の簡単な説明】
【０１０６】
【図１】本発明に係るパイプライン管理データ処理装置及びパイプライン管理データ処理方法の実施例を示す図である。
【図２】図１に図示のコンピュータにおける処理の流れを示す図である。
【図３】図２に図示のコンピュータのアプリケーション部の背景表示部を示す図である。
【図４】図２に図示のコンピュータのアプリケーション部のパイプライン表示部を示す図である。
【図５】図２に図示のコンピュータのアプリケーション部の腐食データ表示部を示す図である。
【図６】図２に図示のコンピュータのアプリケーション部の防食データ表示部の表示画面を示す図である。
【図７】本発明に係るパイプライン管理データ処理システムの実施例を示すデータの送受信関係図である。
【図８】従来のグラフィックディスプレイに景観画像又は地図とパイプラインの経路を表示した図である。
【図９】従来の地理情報システムの構成図である。
【符号の説明】
【０１０７】
１……………………………パイプライン管理データ処理装置
２……………………………ユーザー処理装置
３……………………………センター処理装置
４……………………………ユーザー端末
５……………………………ＬＡＮ
６……………………………データサーバ
７……………………………ディスプレイ
８……………………………ＧＩＳサーバ
９Ａ…………………………背景表示部
９Ｂ…………………………パイプライン表示部
９Ｃ…………………………腐食データ表示部
９Ｄ…………………………防食データ表示部
９Ｅ…………………………ＳＣＡＤＡデータ表示部
９Ｆ…………………………属性データ表示部
９Ｇ…………………………インタフェース表示部
９Ｈ…………………………周囲環境情報表示部
１０…………………………ＳＣＡＤＡバッファ
１１…………………………ネットワークサーバ
１２…………………………データサーバ
１３…………………………ＳＣＡＤＡ
１４…………………………通信回線
１５…………………………コンピュータ
１６…………………………アプリケーション開発・更新部
１７…………………………ＤＢ（データベース）開発・更新部
１８…………………………センタデータベース（ＤＢ）
５０…………………………パイプライン管理データ処理システム
６０…………………………顧客側システム
６１…………………………ＳＣＡＤＡ
６２Ａ〜６２Ｎ……………センサ
６３、６４…………………ＧＩＳ（地理情報システム）
７０…………………………地域ジマティックスセンタ
７１…………………………ＧＩＳ（地理情報システム）解析装置
７２…………………………データバッファ
７３…………………………環境センサ
７５…………………………データ提供機関
８０…………………………中央ジマティックスセンタ
８１…………………………ＧＩＳ（地理情報システム）サーバ
９０…………………………通信衛星
【図１】
2005308841.tif 000003
【図２】
2005308841.tif 000004
【図３】
2005308841.tif 000005
【図４】
2005308841.tif 000006
【図５】
2005308841.tif 000007
【図６】
2005308841.tif 000008
【図７】
2005308841.tif 000009
【図８】
2005308841.tif 000010
【図９】
2005308841.tif 000011